(57)【要約】【課題】建材パネルのさらなる開発の必要性、特に建材パネルの長辺に沿っての改善された相互スライド可能性、そして建材パネルの結合領域における内部応力を低減。【解決手段】舌片体８の内壁は、一方では凹部１０側にあって舌片体８の自由な面につながる丸みづけられたスライド面２０まで、他方では、凹部１０のもっとも低くて底面１２に近く位置する領域にある凹部エッジ４２まで達しており、凹部１０は、その凹部エッジを出発点として、丸みづけられた段部１７まで連続して上昇する。バネ部２４が溝１３に導入された後、突起２６が凹部１０に収められるが、その際、突起２６と、内壁２１からスライド面への移行部１８との間には、零値に近似する遊びあるいは線状の接触部が生じる。【選択図】図２
2012047036.tif 000002
【特許請求の範囲】
【請求項１】
プレート型で矩形の建材パネル（１００、２００、３００）であって、前記建材パネルは、
−  化粧面（１１）と、
−  前記化粧面（１１）の反対側に位置する底面（１２）と、
−  ２つの互いに平行でプロファイル加工された第１の側面（１．１、２．１）と、当該側面（１．１、２．１）に垂直に位置する、互いに平行でプロファイル加工された残り２つの第２の側面（１．２、２．２）とを備え、その際、すべての前記側面（１．１、２．１、１．２、２．２）は前記化粧面（１１）と前記底面（１２）に境界付けられており、
−  さらに、前記建材パネルは、同種の建材パネルと取り外し可能に互いに結合するため、少なくとも１対のかみ合い手段（９、１９）を備え、当該かみ合い手段は、建材パネルの側面（１．２、２．２）に作り出されるとともに、相補的形状を有し、組み付け状態では協働作用するものであり、
−  その際、前記側面（１．１、２．１）に設けられたかみ合い手段（９、１９）が、同種の建材パネルとの接合を通じての嵌合による溝・弾性結合部（４０）を作り出し、
−  前記溝・弾性結合部（４０）におけるかみ合い手段（９）は、溝底面（１４）に向かって先細りとなる台形の溝（１３）を含み、前記溝は、化粧面（１１）にほぼ平行に延びる第１の溝壁（１５）と、前記第１の溝壁と反対側に位置して傾斜を持つ第２の溝壁（２５）を備え、前記第２の溝壁（２５）は、丸みづけされた段部（１７）を経て、前記溝（１３）よりも低い位置にあってかみ合い手段（９）の外部に位置する凹部（１０）に移行し、前記凹部は、前記溝（１３）から突出して末端は舌片体（８）となる脚部（４）に配置されており、前記舌片体（８）は、平らな内壁（２１）と、底面（１２）と面平行に位置する自由な面（４４）とによって境界付けられ、
−  前記溝・弾性結合部では、かみ合い手段（１９）が、台形であって溝（１３）にかみ込むバネ部（２４）を含み、前記バネ部はさらに、上記凹部（１０）に係入するための、底面（１２）に方向づけられた半円状の突起（２６）につながり、前記半円状の突起（２６）は、前記舌片体（８）によってかみ込まれる１つのポケット（２７）につながるものであって、
−  前記舌片体（８）の内壁（２１）は、一方では、前記凹部（１０）側にあって舌片体（８）の自由な面（４４）につながる丸みづけられたスライド面（２０）まで、他方では、凹部（１０）のもっとも低くて底面（１２）に近く位置する領域（４３）にある凹部エッジ（４２）まで達しており、前記凹部（１０）は、その凹部エッジ（４２）を出発点として、丸みづけられた段部（１７）まで連続して上昇しており、かつ
−  前記バネ部（２４）が前記溝（１３）に導入された後、前記突起（２６）が前記凹部（１０）に収められるが、その際、前記突起（２６）と、前記内壁（２１）から前記スライド面（２０）への移行部（１８）との間には、零値に近似する遊び（３０）あるいは線状の接触部（４１）が生じるように構成されていることを特徴とする建材パネル。
【請求項２】
前記内壁（２１）が、前記底面（１２）に垂直に、または斜めに設けられていることを特徴とする請求項１に記載の建材パネル。
【請求項３】
前記段部（１７）が、前記凹部（１０）と、前記化粧面（１１）に垂直に位置する１つの平面（Ｅ１）との間にあり、前記平面は、建材パネルの突き合わせ面（２８．１）の延長面であることを特徴とする請求項１に記載の建材パネル。
【請求項４】
前記内壁（２１）が平面（Ｅ２）と鋭角（β）をなして配置され、前記平面は、スライド面（２０）から内壁（２１）への移行部（１８）を通って、前記平面（Ｅ１）に対して平行な面であることを特徴とする請求項１〜３のいずれかに記載の建材パネル。
【請求項５】
前記角度（β）が、１°〜４５°であることを特徴とする請求項４に記載の建材パネル。
【請求項６】
前記遊び（３０）が、０．０１ｍｍ〜０．２０ｍｍの値であることを特徴とする請求項１に記載の建材パネル。
【請求項７】
前記遊び（３０）が最大で０．１４ｍｍであることを特徴とする請求項６に記載の建材パネル。
【請求項８】
前記線状の接触部（４１）が前記移行部（１８）に生じることを特徴とする請求項１または５に記載の建材パネル。
【請求項９】
前記舌片体（８）の高さ寸法（Ｈ１）が、前記段部（１７）から前記溝壁（２５）への前記移行部（３１）の高さ（Ｈ２）に相当することを特徴とする請求項１に記載の建材パネル。
【請求項１０】
前記凹部（１０）が２つの円弧形領域（Ｌ１、Ｌ２）に区分され、当該領域の一方（Ｌ１）が、前記スライド面（２０）の半径（Ｒ１）に等しい半径（Ｒ２）を持つことを特徴とする請求項１に記載の建材パネル。
【請求項１１】
前記凹部（１０）の領域（Ｌ２）が、半径（Ｒ２）を上回る半径（Ｒ３）を持つことを特徴とする請求項１０に記載の建材パネル。
【請求項１２】
前記建材パネルが中実体であることを特徴とする請求項１から１１のいずれか一項に記載の建材パネル。
【請求項１３】
前記建材パネルが多層体であることを特徴とする請求項１から１２のいずれか一項に記載の建材パネル。
【請求項１４】
前記建材パネルが壁パネル、天井パネル、または床パネルであることを特徴とする請求項１から１３のいずれか一項に記載の建材パネル。
【請求項１５】
前記建材パネルが家具パネルであることを特徴とする請求項１から１３のいずれか一項に記載の建材パネル。
【請求項１６】
請求項１〜１３のいずれかに記載する建材パネルの組み付け体からなる平面被覆体。
【発明の詳細な説明】
【技術分野】
【０００１】
本発明は、プレート型で矩形の建材パネルに関する。この建材パネルは、化粧面と、この化粧面と反対側に位置する底面と、互いに平行でプロファイル加工(表面凹凸加工などの表面形状を特定の幾何学的な形態にする加工の総称)された２つの第１の側面と、これらの側面に垂直に位置する、互いに平行でプロファイル加工されたその他２つの第２の側面とを備えている。側面のすべては化粧面と底面に境界付けられている。
【背景技術】
【０００２】
冒頭に挙げた建材パネルの一つの種類としての床パネルは、本出願者の欧州特許公報１５８５８７６Ｂ１（特許文献１）から公知である。従来の技術によって製造されるこの床パネルは、市場で実績を上げ、広く販売されている。この公知の床パネルの構造では、床パネルの長辺の垂直方向に湿度による寸法変更が生じると、スムーズなスライドが不可能となる
【先行技術文献】
【特許文献】
【０００３】
【特許文献１】欧州特許公報１５８５８７６Ｂ１（特表２００６−５１２５１８）
【発明の概要】
【発明が解決しようとする課題】
【０００４】
上記実情から、建材パネルの改善の必要性、特に建材パネルの長辺に沿っての改善された相互スライド性、そして建材パネルの結合領域における内部応力の低減が要望される。
【０００５】
上記課題は、以下の本発明によるプレート型で矩形の建材パネルによって解決される。本発明のこの建材パネルは、化粧面と、前記化粧面の反対側に位置する底面と、２つの互いに平行でプロファイル加工された第１の側面と、当該側面に垂直に位置する、互いに平行でプロファイル加工された残り２つの第２の側面とを備え、その際、すべての前記側面は前記化粧面と前記底面に境界付けられている。
さらに、本発明の建材パネルは、同種の建材パネルと取り外し可能に互いに結合するため、少なくとも１対のかみ合い手段を備え、当該かみ合い手段は、建材パネルの側面に作り出されるとともに、相補的形状を有し、組み付け状態では協働作用するものであり、その際、前記側面に設けられたかみ合い手段が、同種の建材パネルとの接合を通じての嵌合によって溝・弾性結合部を作り出される。前記溝・弾性結合部におけるかみ合い手段は、溝底面に向かって先細りとなる台形の溝を含み、前記溝は、化粧面にほぼ平行に延びる第１の溝壁と、前記第１の溝壁と反対側に位置して傾斜を持つ第２の溝壁を備え、前記第２の溝壁は、丸みづけされた段部を経て、前記溝よりも低い位置にあってかみ合い手段の外部に位置する凹部に移行し、前記凹部は、前記溝から突出して末端は舌片体となる脚部に配置されており、前記舌片体は、平らな内壁と、底面と面平行に位置する自由な面とによって境界付けられている。前記溝・弾性結合部では、かみ合い手段が、台形であって溝にかみ込むバネ部を含み、前記バネ部はさらに、上記凹部に係入するための、底面に方向づけられた半円状の突起につながり、前記半円状の突起は、前記舌片体によってかみ込まれる１つのポケットにつながる。
特に重要な本発明の特徴は、前記舌片体の内壁は、一方では、前記凹部側にあって舌片体の自由な面につながる丸みづけられたスライド面まで、他方では、凹部のもっとも低くて底面に近く位置する領域にある凹部エッジまで達しており、前記凹部は、その凹部エッジを出発点として、丸みづけられた段部まで連続して上昇しており、かつ
前記バネ部が前記溝に導入された後、前記突起が前記凹部に収められるが、その際、前記突起と、前記内壁から前記スライド面への移行部との間には、零値に近似する遊びあるいは線状の接触部が生じるように構成されている。
【０００６】
以下では、“建材パネル”という概念に“側壁パネル”や“床壁パネル”などが含まれるが、壁パネルといっても、壁面または天井の化粧板や、家具の壁板にも適用される。床パネルとは、ここでは長辺と短辺を特徴とするプレート型の構造体をいう。“丸みづけられたスライド面”という概念は、円筒形のスライド面だけでなく、これとは異なる幾何形状、たとえば放物線状または楕円形の形状をいうこともできる。
【０００７】
本発明による床パネルは、木材、木質材料、プラスチック、または金属製とし、しかも中実体の、すなわち単層型または複数層型の仕様とすることができる。それだけでなくこの床パネルは、総木製、またはいわゆるＨＤＦラミネート（ｈｉｇｈ  ｄｅｎｓｉｔｙ  ｆｉｂｅｒｂｏａｒｄ）、またはＭＤＦラミネート（ｍｅｄｉｕｍ  ｄｅｎｓｉｔｙ  ｆｉｂｅｒｂｏａｒｄ）、またはその他の木質材料から製造したものとすることができる。最後に挙げた木質材料には、木質材料とプラスチックの複合材料が含まれる。
【０００８】
本発明は特に木製であると好都合である。木製の床は一般に寿命が長くて荷重に耐える。木製の床の重要な特徴は、湿気を吸収してふたたび排出し、その結果として膨潤し、収縮する能力である。木材材料からは、多くの有利な特性が得られる：空気イオン化、屋内における微気象の制御、静電帯電やダスト吸引に対する保護。木材材料の抗アレルギー作用も知られている。
【０００９】
舌片体の内壁は、底面に垂直または斜めに配置することができる。しかし好ましくは内壁の斜めの配置を選択し、その際、内壁が、底面に垂直に延びる平面と鋭角をなし、または底面と鈍角（補角）をなすようにする。
【００１０】
この内壁と反対側に位置する凹部の段部は、底面に対する側面の溝の投影の内部または外部に設けることができる。
【００１１】
突起と、内壁からスライド面への移行部との間のわずかな遊びは、基本的に、総木製の床パネルが中実体の仕様である場合に生じる。その理由は、湿気があるとき、床パネルのほぼ長手方向に延びる木材繊維が、最大の膨潤の作用を受けるからである。この遊びは、パネル厚さが１４ｍｍのとき、０．０１ｍｍ〜０．２０ｍｍ、好ましくは０．１２ｍｍ〜０．１５ｍｍの値とする。
【００１２】
これに対して線状の接触部（遊びではない）は、複数層型の建材パネル、この例では３層型の建材パネルの場合に生じる。なぜならば寸法増加は、３層すべてにおいて均一ではなく、相違しているからである。湿気と温度から体積変化が生じる際の寸法増加の和は、中実体の建材パネルの寸法増加より小さい。その際、本出願者によって出願された欧州特許ＥＰ１５８５８７６Ｂ１およびドイツ実用新案ＤＥ２０３２１４４５Ｕ１を参照されたい。これらの２つの特許公報の開示内容の全範囲が本発明に引用される。
【００１３】
上側および下側の層（表面層と底面層）の木材繊維は、実質的に床パネルの長辺に平行に延びるが、中間の層（コア層）の木材繊維は長辺に垂直に延びる。その結果、上側と下側の層の膨潤は、長辺に垂直に生じるが、これはプレート平面の中でのことであり、プレート平面に対しては垂直に生じる。
【００１４】
コア層の膨潤は、長辺に垂直に生じるが、これは底面に垂直に位置する平面の中でのことであり、プレート平面の中では長辺に平行に生じる。後者の膨潤方向は、パネル結合部の寸法変化にほとんど影響を持たない。表面層と底面層の膨潤方向に対して長手方向にコア層の繊維を配置することは、これら両者の層の膨潤力を有効に阻止する。
【００１５】
舌片体横断面の形状としては、底面から測った舌片体の高さ寸法が、段部から溝壁への移行部が位置する高さにほぼ相当するような形状が、選択されている。
【００１６】
凹部は、平坦および／または円弧形のものとすることができる。好ましくはこの凹部が、２つの円弧形領域に区分されていて、それらのうち内壁に近く位置する領域が、スライド面の半径に等しい半径を持つものとする。凹部の他方の領域は、内壁に近い領域の半径の値を上回る半径を持つものとする。
【００１７】
特に有利なのは、突起と、凹部とまたは内壁からスライド面への移行箇所との接触面を、前記の線状の接触部に限る場合である。これにより、床パネル相互のスライド性が、敷設中も、敷設後も、改善されたものとなる。
【００１８】
少なくとも新しいパネル構造の長辺で、通常ならば生じる応力や、表面層の突き合わせ面領域に場合によっては生じるへこみを、回避またはいちじるしく抑制できるのは本発明の利点である。
【００１９】
本発明による床パネルのためには、特に下記のドイツ国産の、および特に耐久性ある熱帯産の木材が考慮の対象となる：
−  サトウカエデ
−  アメリカザクラ（ブラックチェリー）
−  ブラックウォルナット
−  明竹色
−  シラカバ
−  ナシの木
−  ブビンガ
−  ブナ
−  カブリューバ
−  クマル
−  アイボリーウッド（ガタンブ）
−  ドウシエ（アフゼリア・スーペリア）
−  オーク
−  ハンノキ
−  トネリコ
−  ユーカリ
−  ヨーロッパカエデ（ヤマカエデ）
−  セイヨウミザクラ
−  ゴムの木
−  コガネノウゼンカズラ
−  イロコ
−  ジャトバ
−  ケンパス
−  カラマツ
−  マホガニー
−  メルバウ
−  ムテニエ
−  ニアゴン
−  パドウク
−  パリザンダー
−  ペロバ
−  ヤニマツ
−  レッドパイン
−  スクピラ
−  ムバラカ
−  チーク
−  アメリカン・ウォルナット
−  ウェンジ（パンガパンガ）
【００２０】
責任をもった持続した森林経営から得られた木材は、ＦＳＣ（Ｆｏｒｅｓｔ  Ｓｔｅｗａｒｄｓｈｉｐ−Ｃｏｕｎｃｉｌ）シールで表示され、デザインの際に好んで使用されている。
【００２１】
上記木材種類のブリネル硬度は、４３Ｎ／ｍｍ２（ヤマカエデ）〜９０Ｎ／ｍｍ２（スクピラ）である。
【００２２】
最後に本発明は、前記種類の接合済み建材パネルからなる平面被覆にも関する。この平面被覆は、床、壁または天井の化粧面、ファッサードの化粧面、または家具の壁面であり得る。
【図面の簡単な説明】
【００２３】
【図１】本発明による床パネルの平面側を上から見た図である。
【図２】図１を線Ａ‐Ａで切った断面図である。
【図３】長辺に接して位置し、図２で示した溝を持つ側面であって、その断面図細部を拡大した拡大図である。
【図４】２つの複数層型床パネルの接合後の長手側面であって、その断面図細部を拡大した拡大図である。
【図５】図３に示す側面の変形例を、溝と、後方に位置を移した段部から凹部までとともに、その断面図の細部を拡大して示している拡大図である。
【図６】図３に示す側面の変形例を、溝と、後方に位置を移した段部から凹部までとともに、その断面図の細部を拡大して示している拡大図である。
【図７】図３に示す側面の変形例を、溝と、後方に位置を移した段部から凹部までとともに、その断面図の細部を拡大して示している拡大図である。
【図８】２つの複数層型床パネルを接合した後の断面図の細部を拡大した拡大図である。
【図９】図１を線Ｂ−Ｂで切った断面図である。
【図１０】２つの複数層型床パネルの短辺領域を接合する前の拡大図である。
【図１１】２つの複数層型床パネルの短辺領域を接合する前、および接合後、その断面図の細部を拡大した拡大図である。
【図１２】図１１に示した床パネルの接合過程における斜視図である。
【発明を実施するための形態】
【００２４】
まずは、以下に述べる実施形態がよりよく理解されるように、図面との関連で使用される基本的な語句の諸概念を説明する。
−  “化粧面”は“踏面”とも呼ばれ、敷設後に生じる床パネルまたはその表面層の上面に相当する。
−  “底面”は、床パネルの化粧面と反対側に位置する下側に相当する。
−  “突き合わせ面”または“突き合わせ末端”は、本発明の場合、側面特に表面層の側面において、化粧面または底面に垂直に位置する、そして互いに接触する２つの面をいう。
−  “対向パネル”とは、他の床パネルと協働作用する、そして同一構造であることを特徴とする床パネルをいう。本発明の場合、対向パネルには、参照符号１００′、２００′、３００′を付している。
−  “側面“とは、床パネルにおいて、化粧面と底面に区切られた、そしてこれらの面のエッジから出発する面である。
【００２５】
“上部”、“上側の”、“下部”、“下側の”、“もっとも下の”、“〜より下の”、“〜より上の“、“左”、“右”といった概念は、図面にも示すように、水平な基盤上に敷設された床パネルに関する。
【００２６】
実施形態を説明する。図１は、矩形の床パネル１００、１００′、２００、２００′の化粧面１１を、上から見た模式図である。床パネル１００、１００′、２００、２００′は、２つの互いに平行な側面１．１、２．１と、これら側面１．１、２．１に垂直に位置する２つの側面１．２、２．２とを持つ。その際、側面１．１、２．１は床パネルの長辺に、その他の側面１．２、２．２は短辺に配置されている。
【００２７】
側面１．１、２．１、１．２、２．２の詳細は、図１には、それが模式図であることから記載されていない。これらの詳細は、本明細書のその他の図面で取り扱う。したがって図１は、床パネルの２つの互いに異なる実施形態を含む。それら実施形態の相違は、床パネルの長辺だけに関するものである。
【００２８】
床パネル１００、１００′は、図２、３、４にさらに詳しく記載する。ここで長辺に設けられた側面１．１、１．２は、かみ合い手段９、１９を備え、これらかみ合い手段は、図４に示す溝・弾性結合部４０を形成する。
【００２９】
図２では、床パネル１００、１００′が、３つの層、すなわち下側の底面層７、化粧面１１を持つ上側の表面層５、中間のコア層３から構成される。図２はさらに、膨潤方向ＱＲ１、ＱＲ２、ＱＲ３、ＱＲ４の配置を模式的に示す。
【００３０】
表面層５と底面層７の木材繊維は、床パネルの長辺に平行に延びる（図２には図示しない）。膨潤方向ＱＲ１は、長辺に垂直な矢印によって示されている。膨潤方向ＱＲ２は、化粧面および底面に垂直に方向づけられた矢印によって示される。
【００３１】
コア層３では、長辺に垂直に延びる木材繊維２３を模式的に示す。ＱＲ３は、長辺と底面１２に垂直な膨潤方向を示す。斜めに延びる膨潤方向は、斜めに示された矢印によって示されている。膨潤方向ＱＲ４は、長辺の延びる方向、すなわちプレート面に平行方向に相当し、図２では点Ｐで示されている。
【００３２】
側面２．１は、化粧面１１から出発して、突き合わせ面２８．１、溝１３、突き合わせ面２８．１から突出する下側の脚部４を含む。この脚部は、上方を指す舌片体８を末端とする。
【００３３】
脚部４には凹部１０が設けられ、この凹部は、一方では舌片体８の内壁２１に、他方では緩やかに丸みづけられた段部１７につながる。この段部はさらに、溝１３の下側の斜面をなす溝壁２５に移行する。舌片体８の自由な上側の面４４は、円弧形のスライド面２０を経て、前記の内壁２１に移行する。溝１３の上側の第２の溝壁１５は、化粧面１１に平行に位置する。すなわち溝１３は、直角台形の形状を持ち、したがって溝底面１４に向かって先細りとなる。
【００３４】
かみ合い手段１９は、突き合わせ面２８．２を超えて突出する台形のバネ部２４を持ち、このバネ部はさらに、下方を指す半円状の突起２６に続く。図４の接合状態では、突起２６は凹部１０よりわずか上に配置されていて、そこで遊び２９を形成する。しかし突起２６は、内壁２１からスライド面２０への移行部１８に支持され、その際、図４には点で示されている線状の接触部４１が生じるようにする。
【００３５】
突き合わせ面２８．１（図３参照）は、表面層５の領域の下側の面取り４５を末端とする。面取り４５は、丸みづけ４６につながり、この丸みづけはさらに、上側の溝壁１５につながる。
【００３６】
図５は床パネル２００、２００′の側面２．１を示し、この側面は、図３の第１の仕様とは、段部１７の配置の点で異なる。段部１７は平面Ｅ１の前に置かれ、この平面は、突き合わせ面２８．１が下方に延長されたものと定義される。図５はさらに、内壁２１が底面１２に斜めに配置されていることを示す。
【００３７】
図６では、内壁２１が平面Ｅ２と鋭角βをなして位置する。この平面は、スライド面２０から内壁２１への移行部１８と、すでに説明した平面Ｅ１との平行配置とによって決定されている。角度βは、１°〜４５°、好ましくは１６°〜２０°、特に好ましくは角度誤差±０．５°をともなう角度数値１８°である。
【００３８】
図６で舌片体８の高さ寸法Ｈ１は、段部１７から溝壁２５への移行部３１が配置されている高さＨ２にほぼ相当する。図６はさらに、突き合わせ面２８．１の面取りとしての丸みづけ２２を示し、この面取りは、上側の溝壁１５につながる。
【００３９】
図７は、２つの円弧形領域Ｌ１、Ｌ２に区分された凹部１０を示す。領域Ｌ１は半径Ｒ２を持ち、この半径は、スライド面２０の半径Ｒ１に相当するが、より大きい領域Ｌ２の半径Ｒ３より小さい。
【００４０】
接合された床パネル２００，２００′を図８ａに示す。舌片体８は、対向パネルのポケット２７内部に収められ、その際、バネ部の下側の突起２６は、図４の仕様の場合と同様に、凹部１０との間に遊び２９を形成し、そして内壁２１からスライド面２０への移行部１８には、線状の接触部４１を形成する。さらにこの凹部のもっとも下の領域４３では、凹部エッジ４２が１つの点として認められる。特に、凹部１０が、円弧形領域Ｌ１、Ｌ２（図７参照）にもかかわらず、つねに段部１７まで上昇することが認められる。
【００４１】
図８ｂは、木製で中実体の床パネル３００、３００′と、溝１３に導入されるバネ部２４を示す。一点破線は床パネル３００の傾斜ポジションを示し、このポジションで、バネ部２４は、その下側の面取りされたエッジ４７を、緩やかに丸みづけされた段部１７に沿ってスライドさせる。このポジションで、下側の突起２６は、依然として、舌片体８の上面４４とスライド面２０が形成するエッジ４８に支持されている。バネ部２４が溝１３にさらに深く押し込まれると、丸い突起２６もまた、スライド面２０に沿ってスライドして、凹部１０に向かって降下し、最後に前記の遊び２９が生じる。しかしもう１つの遊び３０が、突起２６と、スライド面２０から内壁２１への移行部１８との間にも生じる。遊び３０は、０．０１から０．２０ｍｍが適切で、パネル厚さ１４ｍｍのとき、最大値は０．１４ｍｍが適切である。
【００４２】
図９は、すでに説明した床パネル１００、１００′であって（床パネル２００、２００′にも当てはまる）、図１を線Ｂ‐Ｂで切った断面図である。この３層型床パネル１００（１００′）は、もう１つのかみ合い手段６（図の左側）を持つ。このかみ合い手段は、側面１．２に配置された台形のヘッドピース４８、およびヘッドピース４８に隣接する溝状の切り欠き４９からなる。この切り欠きは舌片体５１によって境界付けられている。
【００４３】
図１０に示すように、ヘッドピース４８は、底面１２に面平行に延びる台形底面３５と、台形底面につながる斜めな側壁３６、５６とを持つ。ヘッドピース４８の外側側壁３６は、突き合わせ面６４．２の段部３８．２につながる。切り欠き４９は、底面１２に垂直な方向を向くフランク６５を持ち、このフランクは、ヘッドピース４８の側壁５６の反対側に位置する。
【００４４】
したがって切り欠き４９は直角台形の形状であって、この台形の底辺６７は、切り欠き４９の内法幅６６よりも広い。ヘッドピース４８はその他、対向パネルの溝３４への挿入を容易にするため、もっとも下の領域の両側を面取りされている（ここには図示しない）。
【００４５】
第２の側面２．２（図９の右側参照）は、かみ合い手段６に適合するかみ合い手段１６を含む。後者のかみ合い手段は、床パネルの突き合わせ面６４．１を超えて突出するロック機構アーム３３を支持し、このアームの末端は、上方に突起する台形の舌片体５１となる。
【００４６】
開かれた溝３４は、ロック機構アーム３３にフライス加工されている。溝３４は、床パネルの底面１２に平行に配置された溝底面３９と、傾斜を持つ２つの溝壁５２．１，５２．２を備える。この傾斜のため、溝３４は上方に先細りとなる。その際、溝壁５２．１には、突き合わせ面６４．１の段部３８．１がつながる。溝３４は、ほぼ等脚の台形として形成されている。
【００４７】
両者の段部３８．１、３８．２は、床パネルの底面１２に平行に延び、互いにわずかにオフセットされている。このオフセットは、突き合わせ面６４．１の高さ寸法が、突き合わせ面６４．２の高さ寸法を若干上回ることにより生じるものである。
【００４８】
接合状態では（図１１参照）、嵌合による溝・弾性結合部５０（ダブテール結合部）が形成され、その際、溝壁５２．１、５２．２は、ヘッドピース４８の側壁３６、５６を圧迫する。しかし両者の段部３８．１、３８．２の間には遊び３７が残り、そして台形底面３５と溝底面３９との間には、もう１つの遊び６０が残る。遊び３７ともう１つの遊び６０の大きさは、木材材料の膨潤の際、零値に近づく。
【００４９】
両者の遊び３７、６０の役目は、敷設された床パネルの寸法変化を補償することである。段部３８．１、３８．２は、発生したダブテール結合部３２を、化粧面１１の垂直方向に支持し、湿気によって木材材料に寸法変化が生じたとき、破壊的な圧力から突き合わせ面を保護する。遊び３７と遊び６０のサイズは非常に小さく、本発明の場合０．１ｍｍ〜０．２ｍｍである。
【００５０】
図１２は、中実体床パネル３００、３００′の短辺の組み付けを示す。旋回軸Ｘを中心として床パネル３００′を旋回降下させるとき、ヘッドピース４８は、対向パネルの溝３４に押し込まれ、最後には嵌合による溝・弾性結合部５０が生じる（図１１と同様）。旋回軸Ｘは、床パネルの長辺に平行に延び、床パネルの協働作用する各部品によって、すなわち床パネルの下側の半円状突起２６と、対向パネルのスライド面２０とによって決定されている。旋回軸Ｘは、かならずしも幾何学でいう直線である必要はなく、旋回軸領域と見なすこともできる。
【００５１】
尚、特許請求の範囲の項に図面との対照を便利にするために符号を記すが、該記入により本発明は添付図面の構造に限定されるものではない。
【符号の説明】
【００５２】
１００、２００、３００：建材パネル
１．１、２．１：第１の側面
１．２、２．２：第２の側面
４：脚部
８：舌片体
９、１９：かみ合い手段
１０：凹部
１１：化粧面
１２：底面
１３：溝
１５：第１の溝壁
１７：段部
１８：移行部
２０：スライド面
２１：内壁
２４：バネ部
２５：第２の溝壁
２６：突起
２７：ポケット
３０：遊び
４０：溝・弾性結合部
４１：接触部
４２：凹部エッジ
４４：自由な面
【図１】
2012047036.tif 000003
【図２】
2012047036.tif 000004
【図３】
2012047036.tif 000005
【図４】
2012047036.tif 000006
【図５】
2012047036.tif 000007
【図６】
2012047036.tif 000008
【図７】
2012047036.tif 000009
【図８】
2012047036.tif 000010
【図９】
2012047036.tif 000011
【図１０】
2012047036.tif 000012
【図１１】
2012047036.tif 000013
【図１２】
2012047036.tif 000014